(57)【要約】【課題】人工基盤上、壁面、法面等を効果的に緑化することができる、簡便、軽量で維持管理が容易な植生基盤、及び該植生基盤を用いた緑化方法を提供する。【解決手段】  長繊維ピートモス、繊維長１０ｍｍ以上のものが５０ｖ／ｖ％以上、に、バインダーを用いることなく、２０〜４０℃の感温点を有する感温吸排水性樹脂を５〜１０ｇ／Ｌの割合で分散混合又は塗布する。【選択図】なし【特許請求の範囲】
【請求項１】
長繊維ピートモスに、バインダーを用いることなく、２０〜４０℃の感温点を有する感温吸排水性樹脂を５〜１０ｇ／Ｌの割合で分散混合及び／又は塗布した植生基盤。
【請求項２】
ピートモスがホワイトピートである、請求項１記載の植生基盤。
【請求項３】
請求項１乃至２記載の植生基盤を、緑化が必要な場所に貼り付け又は塗布し、該植生基盤上に植栽することを特徴とする緑化工法。
【発明の詳細な説明】
【技術分野】
【０００１】
本発明は長繊維ピートモスと感温吸排水性樹脂からなる植生基盤、及び該植生基盤を用いた屋上、屋根、壁面、あるいは法面等の緑化工法に関する。
【背景技術】
【０００２】
最近ヒートアイランドの防止、景観向上等を目的として、屋上緑化、壁面緑化への試みがなされており、様々な工法が報告されている。屋上緑化等においては、特に軽量で保水性がよいことが求められている。
【０００３】
ピートモスは、取扱いが容易であり、特に植物の生育に効果的なことから、土壌改良材として、野菜、花卉苗木の培養土として広く使用されてきた。そして、ピートモスは、通気性が良いばかりでなく、超軽量（乾燥容積重量、１２０〜１５０ｇ／Ｌ）で保水性が高い（水分率、７５〜８５％）ため、これを屋上緑化等に用いる試みもなされている。
しかしながら、ピートモスは表面が乾燥すると撥水作用を起こし、散水しても浸水性が悪くなる。特に屋上等の人工基盤上では夏期の熱容量が大きいため長時間高温を維持する傾向にあり、また風のために表面の乾燥が速くなる。更に、乾燥したピートモスは風の影響で飛散しやすく、配水管詰まりをきたす問題もある。
【０００４】
そこで、ピートモスに界面活性剤を添加したり、ピートモスと保水剤をバインダーで接着させ成型した植生用成型体（特許文献１）が報告されているが、製造工程が煩雑であり、保水性も必ずしも十分とはいえないことから表面の乾燥が避けられず、簡便で十分な保水性を有するものが求められていた。
【特許文献１】特開２００３−５２２４１号公報、同２００３−２４５０１３号公報
【発明の開示】
【発明が解決しようとする課題】
【０００５】
従って、本発明の目的は、簡便、軽量で表面が乾燥しにくい、散水の回数が少なくても植物が良好に生育する、維持管理が容易な植生基盤及び緑化工法を提供することにある。
【課題を解決するための手段】
【０００６】
本発明者らは、上記課題を解決すべく検討を行った結果、長繊維ピートモスと感温吸排水性樹脂と組み合わせることにより、上記課題を解決できることを見出し、本発明に到達した。
すなわち本発明は、
（１）長繊維ピートモスに、バインダーを用いることなく、２０〜４０℃の感温点を有する感温吸排水性樹脂を５〜１０ｇ／Ｌの割合で分散混合及び／又は塗布した植生基盤、
（２）ピートモスがホワイトピートである、上記（１）記載の植生基盤、
（３）上記（１）乃至（２）記載の植生基盤を、緑化が必要な部分に貼り付け又は塗布し、該植生基盤上に植栽することを特徴とする緑化工法、
を提供するものである。
【発明の効果】
【０００７】
本発明の植栽基盤及び緑化工法は、軽量であり、感温吸排水性樹脂を用いるため保水性も十分でピートモス表面も乾燥しにくく、頻繁な散水の必要がないため、維持管理が容易である。
また、水の浪費を防ぎ、雨水も有効活用できその保持期間も長いため、コンクリート等の基盤の表面温度も下げることができ、植物の生育に適したものである。
更に、特定のピートモスと感温吸排水性樹脂とを組み合わせて使用するため、バインダーを用いることなく形状を保持でき、簡便な施工で緑化することができる。
【発明を実施するための最良の形態】
【０００８】
以下、本発明を詳細に説明する。
本発明で用いるピートモスは、長繊維のものである。
本発明でいう長繊維ピートモスとは、ピートモス中、１０ｍｍ以上の繊維長を有するものを、少なくとも５０ｖ  ／ｖ％以上含有したものをいい、１０ｍｍ以上の繊維長のものを７０ｖ／ｖ％以上、更に好ましくは８０ｖ／ｖ％以上含有するものがより望ましい。短繊維のピートモスがこれ以上になると、形状を維持できなかったり、微粉が飛散したりすることがあり、好ましくない。
かかるピートモスは、ピート層を切り取って乾燥してくずすことにより、容易に製造することができる。
ピートモスは、長繊維であればいずれでもよいが、炭化が十分に進行していないホワイトピートが特に好ましい。
【０００９】
本発明に用いる感温吸排水性樹脂は、所定の温度（以下、感温点という。）以下では水を吸収・保持し、感温点を超える温度になると吸水していた水を外部に排出する樹脂を云い、Ｎ−アルキルアクリルアミドを主成分とする重合体、あるいは他の共重合可能なモノマーとの共重合体、の架橋物が例示される。感温点は、Ｎ−アルキルアクリルアミドのアルキルの種類、共重合モノマーの種類、量によってコントロールすることができる。
【００１０】
本発明に用いる感温吸排水性樹脂の感温点は、夏場の雨水の温度あるいは植物の生育適正温度を考慮し、２０℃以上４０℃以下のものである。更に、その間の温度で感温点の異なるものを混合しておくと、地層温度の上昇にともない水を徐放するのでより好ましい。
【００１１】
本発明の植生基盤は、長繊維ピートモスと感温吸排水性樹脂を分散混合、あるいは表面に塗布したものである。感温吸排水性樹脂の混合量あるいは塗布量は、水を吸って膨潤した場合にピートモスの空隙部を満たす程度の量が好ましく、５〜１０ｇ／Ｌである。これを超えて混合あるいは塗布すると、吸水時にピートモス植栽基盤全体がふくれ上がることがあり好ましくない。
【００１２】
感温吸排水性樹脂を、十分に水分を含んだピートモス植栽基盤層中に上述した量で分散混合しておくと、雨水又は灌水された水を保持し、系の温度が上がって感温点を超えた時点で、水を排出する。排出された水は、毛管を通じてピートモス全体に分配される。このため、灌水等の管理が容易であるばかりではなく、植栽基盤自体が湿った状態を維持するので、バインダー等を用いて成型しなくても、植生基盤として十分にその形状を維持すると共に、植物自体への水供給が十分になり、良好な生育が達成される。また、ピートモス表層が湿った状態に維持されるので、ピートモスの乾燥による撥水性化が抑えられる。
【００１３】
本植生基盤を、緑化が必要場所、例えば、人工基盤上、壁面あるいは法面等に、貼り付けあるいは塗布し、その上に植栽することにより良好な緑化が実現できる。
例えば、ピートモスと感温吸排水性樹脂を混合し水を十分に含ませたうえで、緑化すべき場所に塗布し、この塗布面に芝その他の緑化に適した植物、種子、苗等、を植え付けることにより、容易かつ簡便に実施することができる。
植生基盤の厚みは、地中温度が変動する表面から２０ｃｍ程度までの厚みが好ましい。それ以上厚くしても、地温の変動が少なく感温吸排水性樹脂が十分にその機能を発揮しない。
【実施例１】
【００１４】
４月、ピートモス（東武緑地（株）製：ソッドピート、繊維長１０ｍｍ以上を８０ｖ／ｖ以上含有）の粉末に、感温吸水性ポリマー（（株）興人製：サーモゲル）を容積に対し７ｇ／Ｌの割合で混合し、十分に水を含ませたうえでコンクリート壁面に塗布した。そのピートモス基盤に充分灌水させて、ケンタッキーブルーグラスとトールフェスキュをブレンドした後、播種した。
施工後、芝が活着するまで十分に散水し、芝生を造成した。約３ヶ月で芝生は完成し、その後夏場においても適時散水することにより、乾燥によるピートモスの脱落や微塵飛散もなく、保水効果も持続して芝生の育成が可能になった。
【実施例２】
【００１５】
４月、ピートモス（東武緑地（株）製：ソッドピート、繊維長１０ｍｍ以上を８０ｖ／ｖ以上含有）の粉末に、感温吸水性ポリマー（（株）興人製：サーモゲル）を容積に対し７ｇ／Ｌの割合で混合し、十分に水を含ませたうえでコンクリート壁面に塗布した。そのピートモス基盤に充分灌水させて、ハーブ・ミント類（アップルミント、オーデコロンミント、キャットミント、パイナップルミント、ペパーミント）の苗を植栽した。
施工後、植栽が活着するまで約１ケ月十分に散水した。その後夏場においても適時散水することにより、乾燥によるピートモスの脱落や微塵飛散もなく、保水効果も持続した。
【産業上の利用可能性】
【００１６】
以上説明してきたように、本発明によると、簡便、軽量であり、維持管理が容易であるので、人工基盤上、壁面あるいは法面等を、効果的に緑化することができる。